(57)【要約】【課題】  用紙に対する腰付けによるダメージを防止可能な排出装置を提供する。【解決手段】  回転軸方向Ｘに一対の回転体３１，３２，３３を複数配置し、搬送されてくる用紙２９を各一対の回転体で挟持して排出する排出装置３０において、複数の一対の回転体のうち、少なくともその１組を一方が回転軸方向Ｙに鼓形状の回転体３２０、他方を回転軸方向Ｙに太鼓形状の回転体３２１で構成すると共に、鼓形状回転体３２０と太鼓形状回転体３２１を、鼓形状の窪曲部３２０Ａと太鼓形状の突曲部３２１Ａとを互いに対向するように配置した。【選択図】  図４
2006096519.tif 000002
【特許請求の範囲】
【請求項１】
一対の回転体を回転軸方向に複数有し、搬送されてくるシートを前記一対の回転体で挟持して排出する排出装置において、
少なくとも１つの一対の回転体の一方が回転軸方向に鼓形状に、他方の回転体が回転軸方向に太鼓形状に形成されると共に、これら鼓形状の回転体と太鼓形状の回転体が、鼓形状の窪曲部と太鼓形状の突曲部とを互いに対向するように配置されていることを特徴とする排出装置。
【請求項２】
請求項１記載の排出装置において、
前記鼓形状の回転体は、前記太鼓形状の回転体よりも回転軸方向に長く形成され、前記太鼓形状の回転体と対向しない両端部側の外周面に凹凸部を有することを特徴とする排出装置。
【請求項３】
請求項２記載の排出装置において、
前記凹凸部における凸部は、その頂部が前記鼓形状回転体の外周面の延長線上に位置するように形成されていることを特徴とする排出装置。
【請求項４】
請求項１ないし３の何れかに記載の排出装置において、
前記鼓形状の回転体と前記太鼓形状の回転体よりなる一対の回転体は、少なくとも前記シートの搬送方向と直交するシート幅方向の略中央に配置されていることを特徴とする排出装置。
【請求項５】
請求項４記載の排出装置において、
前記略中央に配置された一対の回転体以外の他の一対の回転体は、それぞれ円柱形状の回転体からなることを特徴とする排出装置。
【請求項６】
請求項５記載の排出装置において、
前記略中央に配置された一対の回転体のシート挟持力が、それ以外の一対の回転体のシート挟持力よりも大きく設定されていることを特徴とする排出装置。
【請求項７】
シートに対して画像を形成する画像形成部と、前記画像形成部で画像形成されたシートを搬送する搬送経路とを有する画像形成装置において、
前記搬送経路の端部に前記排出装置を備えたことを特徴とする画像形成装置。
【発明の詳細な説明】
【技術分野】
【０００１】
本発明は、シートを搬送する回転体の形状に特徴のある排出装置及びそれを備えた画像形成装置に関する。
【背景技術】
【０００２】
部品点数が少なく低コストで且つ同一構成のままサイズの異なる多種多様なシートを搬送できる搬送方式として、一対の回転体を構成する従動回転体の軸部を保持しつつ駆動回転体に押圧する押圧手段を有した搬送方式が挙げられる。上記のシート搬送方式は前述の利点等から前記構成のみで様々な搬送装置に用いることが可能である。しかし、このシート搬送方式をシート搬送方向の下流側に設けられたシート受け部材近傍に設けて排出装置として用いる場合においては、新たにシート受け部材へ受け渡すシートの姿勢を均一に保つ目的のシート姿勢教示機能（腰付け機能）及びシート後端位置を整合する目的のシート搬送補助機能（蹴飛ばし機能）を有する必要がある。従って上記シート搬送方式による搬送装置を排出装置としてシート受け部材近傍に設ける場合においては、専らシート姿勢教示手段及びシート搬送補助手段を従動回転体の軸線方向両端部に糸巻車形状化という凹凸形状として付与させる方式が用いられている。このような凹凸形状を有する排出装置としては特許文献１が挙げられる。
【０００３】
【特許文献１】特開平８−２４５０４１号公報
【発明の開示】
【発明が解決しようとする課題】
【０００４】
しかしながら従動回転体に糸巻車形状を付与した排出装置においては、シートにダメージを与えるおそれが生じると同時におそれ性を低減する目的から駆動回転体の軸線方向長さより充分長い軸線方向長さを持つ従動回転体を用いる必要があり、その結果、装置の小型化に限界がある。またシート端部が糸巻車形状の従動回転体近傍を通過する場合においては、糸巻車形状の副作用としてシート端部が付勢されることでシート端部に不必要な姿勢を教示してしまうおそれがある。
【０００５】
本発明は、シートに対する腰付けによるダメージを防止可能な排出装置及び画像形成装置を提供することを目的とする。  
本発明は、シートに対する蹴飛ばし機能を備えていても腰付けによるダメージを防止可能な排出装置及び画像形成装置を提供することを目的とする。
【課題を解決するための手段】
【０００６】
本発明は、一対の回転体を回転軸方向に複数有し、搬送されてくるシートを前記一対の回転体で挟持して排出する排出装置において、少なくとも１つの一対の回転体の一方が回転軸方向に鼓形状に、他方の回転体が回転軸方向に太鼓形状に形成し、これら鼓形状の回転体と太鼓形状の回転体とを鼓形状の窪曲部と太鼓形状の突曲部とが互いに対向するように配置したことを特徴としている。  
鼓形状の回転体は、太鼓形状の回転体よりも回転軸方向に長く形成され、太鼓形状の回転体と対向しない両端部側の外周面に凹凸部を有することを特徴としている。この凹凸部における凸部は、その頂部が鼓形状回転体の外周面の延長線上に位置するように形成されていることを特徴としている。
【０００７】
本発明にかかる排出装置では、鼓形状の回転体と太鼓形状の回転体よりなる一対の回転体を、少なくともシートの搬送方向と直交するシート幅方向の略中央に配置し、略中央に配置された一対の回転体以外の他の一対の回転体は、それぞれ円柱形状の回転体から構成されていることを特徴としている。  
本発明にかかる排出装置では、略中央に配置された一対の回転体のシート挟持力が、それ以外の一対の回転体のシート挟持力よりも大きく設定されていることを特徴としている。
【０００８】
本発明は、シートに対して画像を形成する作像部と、作像部で画像形成されたシートを搬送する搬送経路とを有する画像形成装置において、搬送経路の端部に上記何れかの排出装置を備えたことを特徴としている。
【発明の効果】
【０００９】
本発明によれば、回転軸方向に複数有する一対の回転体の少なくとも１つの一対の回転体を、回転軸方向に鼓形状に形成した回転体と回転軸方向に太鼓形状に形成し回転体で構成し、これら鼓形状の回転体と太鼓形状の回転体とを鼓形状の窪曲部と太鼓形状の突曲部とが互いに対向するように配置すると、シートを挟持する面になだらかな曲げが設けられるので、挟持する際にシートに対し大きな荷重が作用するポイントが無くなり、シートにダメージを与えるおそれを回避することができる。
【００１０】
本発明によれば、鼓形状の回転体が太鼓形状の回転体よりも回転軸方向に長く形成され、太鼓形状の回転体と対向しない両端部側の外周面に凹凸部を有するので、凹凸部によりシートに対する蹴飛ばし機能を備えていてもシートを挟持する面になだらかな曲げが設けられるので、挟持する際にシートに対し大きな荷重が作用するポイントが無くなり、シートにダメージを与えるおそれを回避することができる。
【００１１】
本発明によれば、鼓形状の回転体と太鼓形状の回転体よりなる一対の回転体を、少なくともシートの搬送方向と直交するシート幅方向の略中央に配置し、略中央に配置された一対の回転体以外の他の一対の回転体を、それぞれ円柱形状の回転体して構成したので、シート端部に不必要な姿勢を教示することで発生する端部カールを抑制することができる。
【００１２】
本発明によれば、略中央に配置された一対の回転体のシート挟持力を、それ以外の一対の回転体のシート挟持力よりも大きく設定したので、シートに対する腰付けと蹴飛ばしを確実に行えるとともに、シート端部カールの発生を抑制することができる。
【発明を実施するための最良の形態】
【００１３】
図面を用いて本発明の実施の形態を説明する。本形態において、画像形成装置は、タンデム方式を採用してフルカラー画像を形成可能なカラープリンタ（以下「プリンタ」と記す）である。
【００１４】
図１を用いてプリンタとしての基本構成とその動作について説明し、この後に本形態特有の構成部分について説明する。図１に示すプリンタは、装置本体１の下部にシートで葉用紙としての用紙２９が収納される給紙部２が配設され、その上方に画像形成部３を配置した構成となっている。画像形成部３には、像担持体を備えた複数の作像手段として４個の作像ユニット８Ｙ，８Ｃ，８Ｍ，８ＢＫを備えた作像部８と、複数のローラ４，５，６と、これらローラに巻き掛けられた可撓性を有する無端ベルトにより構成された中間転写体としての中間転写ベルト７ａとを有する中間転写ユニット７と、各像担持体に光書込みを行う光書込み部としての光書き込みユニット１５と、用紙２９にトナー像を定着する定着手段２２とが設けられている。作像ユニット８Ｙ，８Ｃ，８Ｍ，８ＢＫと中間転写ユニット７は、装置本体１に対して着脱自在とされている。給紙部２から定着手段１１までの間には、画像形成部３で画像形成された用紙２９を搬送する搬送経路Ｒが形成されている。転写部を構成するローラ６は搬送経路Ｒに臨んで配置されている。搬送経路Ｒの端部Ｒ１は、装置本体１の上部に形成された積載部としての排紙トレイ２５に向かって開放されている。この端部Ｒ１には、図２にも示すように、搬送されてくる用紙２９を排紙トレイ２５に向かって排出する排出装置３０が設けられている。
【００１５】
中間転写ベルト７ａのローラ４とローラ５間は、このベルトの下部側ベルト走行辺に相当している。中間転写ベルト７ａには、ローラ６と対向する部位に２次転写装置となる２次転写ローラ２０が搬送経路Ｒに臨むように配設され、ローラ４と対向する部位にベルト表面を清掃するベルトクリーニング装置２１が配設されている。
【００１６】
作像部３は、この下側走行辺に対向するように配置されることで、中間転写ベルト７ａの下方に配設されている。各作像ユニットは、中問転写ベルト７ａに接する像担持体としての感光体ドラム１０をそれぞれ具備している。各感光体ドラム１０の周りには、帯電装置１１、現像装置１２、クリーニング装置１３がそれぞれ配置されている。各感光体ドラム１０が中間転写ベルト７ａに接する位置における中間転写ベルト７ａの内側には、１次転写を行う転写手段としての転写ローラ１４がそれぞれ設けられている。本実施形態において、作像ユニット８Ｙ，８Ｃ，８Ｍ，８ＢＫは、基本的には同一構造に構成されており、図１では代表して作像ユニット８ＢＫの構成にのみ符号を付している。各作像ユニットにおいて、異なるのは各現像装置１２に収納されている現像剤としてのトナーの色が異なる点にある。作像ユニット８Ｙ，８Ｃ，８Ｍ，８ＢＫの各現像装置１２には、それぞれイエロー，シアン，マゼンタ、ブラックのトナーが収納されている。各現像装置１２には、トナーが減ると装置本体１の上部に配設されたトナー補給ボトルＴ１，Ｔ３，Ｔ３，Ｔ４から補給用のトナーがそれぞれ供給されるように構成されている。
【００１７】
光書き込みユニット１５は、光変調されたレーザ光Ｌを各感光体ドラムの表面に照射して、感光体表面に色毎の潜像を形成するものであり、本形態では、作像部８の下方に配置されている。
【００１８】
プリンタでは、画像形成動作が開始されると、各作像ユニット８の感光体ドラム１０が図示しない駆動装置によって時計方向に回転駆動され、各感光体ドラムの表面が帯電装置１１によって所定の極性に一様に帯電される。帯電された各感光体ドラムの表面には、光書き込みユニット１５からレーザ光Ｌがそれぞれ照射されて、それぞれの表面に静電潜像が形成される。このとき、各感光体ドラムに露光する画像情報は所望のフルカラー画像をイエロー、シアン、マゼンタ及びブラックの色情報に分解した単色の画像情報である。このように形成された静電潜像は、各感光体と現像装置１２の間を通るとき、各現像装置１２のトナーによってトナー像として可視像化される。
【００１９】
中間転写ベルト７ａが巻きかけられた複数のローラ４，５，６のうち１つのローラが図示していない駆動装置によって反時計方向に回転駆動され、これにより中間転写ベルト７ａが矢印で示す反時計周り方向に走行駆動され、他のローラが従動回転する。このように走行する中間転写ベルト７ａには、イエローのトナーを有する現像装置１２を具備する作像ユニット８Ｙで形成されたイエロートナー像が転写ローラ１４によって転写される。その転写されたイエロートナー像には、作像ユニット８Ｃ，８Ｍ及び８ＢＫで形成されたシアントナー像、さらにマゼンタトナー像及びブラックトナー像が転写ローラ１４によって順次重ね転写され、かくして中問転写ベルト７ａはその表面にフルカラーのトナー像を担持する。
【００２０】
トナー像が転写された後の各感光体ドラム表面に付着する残留トナーは、各クリーニング装置１３によって感光体ドラム表面から除去され、次いでその表面が図示していない除電装置によって除電作用を受け、その表面電位が初期化されて次の画像形成に備えられる。
【００２１】
一方、給紙部２から給紙される用紙２９は、搬送経路Ｒに送り込まれ、２次転写ローラ２０よりも給紙側に配設されたレジストローラ対２１によって給紙タイミングを計られて、ローラ６と２次転写ローラ２０とが対向する転写部に給送される。このとき２次転写ローラ２０には、中問転写ベルト表面のトナー像のトナー帯電極性と逆極性の転写電圧が印加され、これによって中間転写ベルト７ａの表面のトナー像が用紙２９上に一括して転写される。トナー像を転写された用紙２９は、定着手段２２へと搬送され、定着手段２２を通過する際に熱と圧が加えられてトナー像が熔融されて定着される。トナー像が定着された用紙２９は、搬送経路端部に配設された排出装置３０へと搬送され、排紙トレイ２５へと排出される。トナー像を用紙２９に転写後の中間転写ベルト７ａは、このベルトに残留したトナーがクリーニング装置２１より除去される。
【００２２】
このように構成されたプリンタは、４個の作像ユニット８Ｙ，８Ｍ，８Ｃ及び８ＢＫを中間転写ベルト７ａに対向して設け、中間転写ベルト７ａに順次各色のトナー像を重ね転写するため、作像手段が１つで４色の現像装置を持ち、中間転写ベルト上にトナー像を重ね転写し、その後用紙に転写する形式のものと比べて作像時間を大幅に短縮することができる。また、装置本体１の上部に排紙トレイ２５が形成されているので、装置本体１から排紙トレイ２５が周囲に飛び出ることがなく、設置面積や占有面積が小さくなる。
【００２３】
以上の説明は、用紙２９上にフルカラー画像を形成するときの画像形成動作であるが、作像部８の作像ユニットのいずれか１つを使用して単色画像を形成したり、２色又は３色の画像を形成したりすることもできる。また、本形態のプリンタを用いてモノクロ印刷をする場合には、作像ユニット８ＢＫの感光体ドラム上にのみ静電潜像を形成して同ユニットによって現像して用紙２９に転写し、定着手段２２で定着すればよい。
【００２４】
次に、排出装置３０の構成について説明する。  
排出装置３０は、図３、図４に示すように用紙搬送方向Ｘと直行し、用紙幅方向ともなる回転軸方向Ｙに、一対の回転体３１，３２，３３が配列されていて、各一対の回転体で用紙２９を挟持し、各回転体を回転させることで用紙２９を排出するものである。一対の回転体３２は回転軸方向Ｙの略中央に、他の一対の回転体３１，３３は、一対の回転体３２の左右に位置し、用紙通過領域内に配置されている。
【００２５】
一対の回転体３２は、一方が回転軸方向Ｙに鼓形状に形成された鼓形状回転体３２０、他方が回転軸方向Ｙに太鼓形状に形成された太鼓形状回転体３２１とされている。これら鼓形状回転体３２０は、排出装置３０の基部となるフレーム３６に装着されたブラケット４４によって支持されている軸４７によって回転自在に支持されている。太鼓形状回転体３２１は、ブラケット３６にその両端が回転自在に支持された駆動軸３４に装着されている。鼓形状回転体３２０と太鼓形状回転体３２１とは、各外周面の窪曲部３２０Ａと突曲部３２１Ａとが互いに対向するように配置されている。
【００２６】
鼓形状回転体３２０は、太鼓形状回転体３２１よりも回転軸方向Ｙに長く形成され、太鼓形状回転体３２１と対向しない両端部３２０Ｂ、３２０Ｃ側に、凹凸部を有する回転体３７，３８が設けられている。凹凸部を有する回転体（以下「凹凸回転体」と記す）３７，３８は、鼓形状回転体３２０と一体的に形成しても良いし、個別に形成しても良い。これら凹凸回転体３７，３８は、軸４７に鼓形状回転体３２０と同一回転中心となるように装着されている。凹凸回転体３７，３８の各凸部は、図５に示すように、その頂部３７ａ、３８ａが鼓形状回転体３２０の傾斜している外周面３２０ａの延長線Ｏ上に位置するように形成されている。
【００２７】
図３、図４に示すように、一対の回転体３１は、円柱形状の回転体（以下「円柱形状回転体」と記す）３１０，３１１で構成され、一対の回転体３３は同じく円柱形状回転体３３０，３３１で構成されている。円柱形状回転体３１０は、フレーム３６装着されたブラケット４３で支持されている軸４６によって回転自在に支持され、円柱形状回転体３１１は、駆動軸３４に装着されており、これら回転体は互いに対向するように配置されている。円柱形状回転体３３０は、フレーム３６装着されたブラケット４５で支持されている軸４８によって回転自在に支持され、円柱形状回転体３３１は、駆動軸３４に装着されており、これら回転体は互いに対向するように配置されている。円柱形状回転体３１０、３３０は円柱形状回転体３１１、３３１よりも回転軸方向Ｙに長く形成されている。
【００２８】
各ブラケット４３，４４，４５の下方には付勢手段を構成する板バネ４０、４１、４２がフレーム３６との間に介装されていて、各ブラケット４３，４４，４５を図３、図４において上方に付勢することで、円柱形状回転体３１０、鼓形状回転体３２０、円柱形状回転体３３０を、それぞれ対向配置されている円柱形状回転体３１１、太鼓形状回転体３２１、円柱形状回転体３３１へ圧接している。本形態においては、円柱形状回転体３１０、３３０は、それぞれの両側に凹凸回転体３７，３８を備えていない。
【００２９】
板バネ４０、４１、４２による各回転体３１０への付勢力は、板バネ４０、４３よりも板バネ４１が大きく設定されている。すなわち、略中央に配置された一対の回転体３２によるシート挟持力は、一対の回転体３１，３３によるシート挟持力よりも大きく設定されている。図３、図４において、符号５０、５１は用紙幅方向Ｙへの用紙２９の位置を定める案内部材としてのガイドローラを示す。
【００３０】
駆動軸３４の一端には、図３に示すように図示しない駆動源から駆動力で伝達される駆動伝達機構３５が装着されていて、用紙２９の搬送時に駆動力が伝達されることで回転駆動されるように構成されている。すなわち、円柱形状回転体３１０、鼓形状回転体３２０及び円柱形状回転体３３０は従動側回転体であり、円柱形状回転体３１１、太鼓形状回転体３２１及び円柱形状回転体３３１は駆動側回転体である。
【００３１】
このような構成の排出装置３０によると、用紙幅方向でもある回転軸方向Ｙに複数設けた一対の回転体３１，３２，３３のうち、その略中央に位置する一対の回転体３２を、鼓形状回転体３２０と太鼓形状回転体３２１で構成し、これら鼓形状回転体３２０と太鼓形状回転体３２１の外周面の窪曲部３２０Ａと突曲部３２１Ａとを互いに対向するように配置したので、図５に示すように、用紙２９を挟持するニップ部がなだらかな曲面とされる。このため、用紙２９を鼓形状回転体３２０と太鼓形状回転体３２１で挟持する際に、符号αで示す鼓形状回転体３２０と太鼓形状回転体３２１の端部と接触する用紙２９の接触部において用紙２９に対し大きな荷重が作用しなくなり、用紙２９に対してダメージを与えるおそれを回避することができる。
【００３２】
鼓形状回転体３２０を太鼓形状回転体３１０よりも回転軸方向Ｙに長く形成し、太鼓形状回転体３２０と対向しない両端部３２０Ｂ、３２０Ｃ側に凹凸回転体３７，３８部を設けているので、この凹凸回転体３７，３８による用紙２９への蹴飛ばし機能を与えることができる。また、用紙２９を挟持する面がなだらかな曲面とされているので、符号βで示す凹凸回転体３７，３８と用紙２９との接触部で用紙２９に係る荷重が少なくなり、用紙２９にダメージを与えるおそれを回避することができる。
【００３３】
鼓形状回転体３２０と太鼓形状回転体３２１は、用紙幅方向Ｙの略中央に設けた一対の回転体３２であり、一対の回転体３２の両側に位置する一対の回転体３１，３３は、円柱形状回転体で構成されて、かつ凹凸部回転体３７，３８も備えていないので、図４に○で示す領域のように、用紙端部２９Ａ、２９Ｂに不必要な姿勢を教示する力が作用しなくなり、用紙２９の端部カールの発生を抑制することができる。
【００３４】
一対の回転体３２のシート挟持力が、一対の回転体３１，３３のシート挟持力よりも大きく設定されているので、用紙２９に対する腰付けと蹴飛ばしを確実に行えるとともに、用紙２９の端部カールの発生を抑制することができる。
【００３５】
ここで図６、図７を用いて、従来の課題について説明する。  
従来の排出装置には、用紙幅方向Ｙに複数の設けた一対の回転体を構成する、従動側の回転体２２０と駆動側の回転体２２１とが全て円柱形状であり、回転体２２０の幅を回転体２２１の幅よりも長く形成し、板バネ４０，４１，４２で回転体２２０を回転体２２１に向かって付勢して圧接していた。また、用紙２９に腰付けを行うために従動側の回転体２２０の両側に回転体２２０の表面よりも突出するようにそれぞれ凹凸回転体３７，３８を設けていた。このため、回転体２２０と回転体２２１とのニップ部で用紙２９を挟持した状態で駆動側の回転体２２１が回転すると、凹凸回転体３７，３８の凸部により用紙２９が押されることで、回転体２２０と回転体２２１に挟持される用紙２９の接触部αと、用紙２９と凸部との接触部β点にそれぞれ大きな荷重が働き、その結果、特に薄紙・フィルム等の剛性の低い用紙２９はα点におけるスジ・シワが、厚紙等の剛性の高い用紙２９ではβ点における打痕を生じてしまうおそれ性があった。また、用紙端部２９Ａ、２９Ｂ近傍に位置する回転体２２０に凹凸回転体３７，３８を設けているので、図６に○印で示すように、用紙端部２９Ａ、２９Ｂが凹凸回転体３７，３８の近傍を通過する場合においては、用紙端部２９Ａ、２９Ｂが凹凸回転体３７，３８を凸分だけ押されることで用紙端部２９Ａ、２９Ｂの形状が変わり、その結果、用紙２９に不必要な姿勢を教示してしまっていた。しかし、本形態においては、このような課題は全て解消することができた。
【００３６】
排出装置３０が適用されるものとしては、図１に示すプリンタに限らず、複写機、ファクシミリ装置やこれらの複合機であってもよいし、レシートなどの印字されたシートを排出する各種装置に適用しても良い。
【図面の簡単な説明】
【００３７】
【図１】本発明が適用された画像形成装置の内部構成を示す図である。
【図２】画像形成装置に設けられた排出装置の概略構成を示す斜視図である。
【図３】本発明の一実施形態である排出装置の構成を示す拡大斜視図である。
【図４】排出装置を排出方向から見た正面図である。
【図５】鼓形状の回転体と太鼓形状の回転体の拡大図である。
【図６】鼓形状の回転体と太鼓形状の回転体とを持たない従来の排出装置の構成を示す正面図である。
【図７】従来の排出装置の課題を説明するための拡大図である。
【符号の説明】
【００３８】
３    画像形成部
３１、３２、３３    一対の回転体
３０      排出装置
３７，３８  凹凸部（糸巻き歯車）
３７ａ、３８ａ    凸部の頂部
３１０，３１１、３３０,３３１    円柱形状の回転体
３２０    鼓形状の回転体
３２０Ａ    鼓形状の窪曲部
３２０Ｂ、３２０Ｃ    両端部側の外周面
３２１    太鼓形状の回転体
３２１Ａ    太鼓形状の突曲部
Ｏ    延長線上
Ｒ    搬送経路
Ｙ    回転軸方向（シート幅方向）
【図１】
2006096519.tif 000003
【図２】
2006096519.tif 000004
【図３】
2006096519.tif 000005
【図４】
2006096519.tif 000006
【図５】
2006096519.tif 000007
【図６】
2006096519.tif 000008
【図７】
2006096519.tif 000009